(57)【要約】【課題】データ圧縮と暗号化を行うことを前提にし、暗号化対象データを選択することでデータ圧縮・暗号化処理をさらに効率化する画像処理装置、画像処理方法、画像処理プログラム及び記録媒体を提供する。【解決手段】画像データを属性ごとに分離する分離手段と、前記分離した分離データをそれぞれの属性に適した圧縮方法を用いて圧縮する圧縮手段と、前記圧縮されたそれぞれの圧縮データのデータ量を比較するデータ量比較手段と、最もデータ量の少ない圧縮データを暗号化する第１の暗号化手段と、を有することを特徴とする。【選択図】図１
2008294827.tif 000002
【特許請求の範囲】
【請求項１】
画像データを属性ごとに分離する分離手段と、
前記分離した分離データをそれぞれの属性に適した圧縮方法を用いて圧縮する圧縮手段と、
前記圧縮されたそれぞれの圧縮データのデータ量を比較するデータ量比較手段と、
最もデータ量の少ない圧縮データを暗号化する第１の暗号化手段と、を有することを特徴とする画像処理装置。
【請求項２】
前記圧縮データの暗号化を実行するか否か選択する暗号化選択手段と、
暗号化する圧縮データの属性を任意に選択し、選択された属性のデータを暗号化する第２の暗号化手段と、を有し、
前記暗号化選択手段は、暗号化の実行を選択した場合に、前記第１の暗号化手段若しくは前記第２の暗号化手段のうちいずれかを選択することを特徴とする請求項１記載の画像処理装置。
【請求項３】
前記第１の若しくは第２の暗号化手段で暗号化されたデータと、他方の暗号化されなかった圧縮データとを、パッキングし、一つのデータとするデータパッキング手段を有することを特徴とする請求項１又は２記載の画像処理装置。
【請求項４】
画像データを属性ごとに分離する分離手段と、
前記分離した分離データをそれぞれの属性に適した圧縮方法を用いて圧縮する圧縮手段と、
前記圧縮されたデータのうち、ランダムな方法により暗号化処理を行う属性を選択する暗号化ランダム選択手段と、
前記暗号化ランダム選択手段により選択された属性のデータを暗号化する第１の暗号化手段と、有することを特徴とする画像処理装置。
【請求項５】
前記圧縮データの暗号化を実行するか否か選択する暗号化選択手段と、
暗号化する圧縮データの属性を任意に選択し、選択された属性のデータを暗号化する第２の暗号化手段と、を有し、
前記暗号化選択手段は、暗号化の実行を選択した場合に、前記第１の暗号化手段若しくは前記第２の暗号化手段のうちいずれかを選択することを特徴とする請求項４記載の画像処理装置。
【請求項６】
前記第１の若しくは第２の暗号化手段で暗号化されたデータと、他方の暗号化されなかった圧縮データとを、パッキングし、一つのデータとするデータパッキング手段を有することを特徴とする請求項４又は５記載の画像処理装置。
【請求項７】
請求項３又は請求項６記載のデータパッキング手段によりパッキングされたデータを分離するパッキングデータ分離手段と、
暗号化されたデータを復号する復号手段と、
圧縮されたデータを伸長する伸長手段と、を有することを特徴とする画像処理装置。
【請求項８】
画像データを属性ごとに分離するステップと、
前記分離した分離データをそれぞれの属性に適した圧縮方法を用いて圧縮するステップと、
前記圧縮されたそれぞれの圧縮データのデータ量を比較するステップと、
最もデータ量の少ない圧縮データを暗号化するステップと、を有することを特徴とする画像処理方法。
【請求項９】
画像データを属性ごとに分離する処理と、
前記分離した分離データをそれぞれの属性に適した圧縮方法を用いて圧縮する処理と、
前記圧縮されたそれぞれの圧縮データのデータ量を比較する処理と、
最もデータ量の少ない圧縮データを暗号化する処理と、をコンピュータに実行させることを特徴とする画像処理プログラム。
【請求項１０】
請求項９記載のプログラムの処理を記録するコンピュータ読み取り可能な記録媒体。
【発明の詳細な説明】
【技術分野】
【０００１】
本発明は、画像処理装置、画像処理方法、画像処理プログラム及び記録媒体に関し、特にデータ圧縮・暗号化を効率良く処理する画像処理装置、画像処理方法、画像処理プログラム及び記録媒体に関する。
【背景技術】
【０００２】
従来から、インターネットやパソコン等の普及・発展に伴い、インターネットを通じたデジタルデータの通信が幅広く行われるようになってきている。デジタルデータの送信者は、データを符号化して送信している。符号化手段としては膨大なデータ量を少なくするため圧縮符号化手段を備える技術も提案されている（特許文献１参照）。
【０００３】
データの圧縮を行うと、大量のデータであっても記憶装置に保存する場合に使用する容量を少なくすることができ、有効である。データを圧縮する方法として、圧縮率の向上や圧縮時の画質の劣化を少なくするように、１つの画像をその属性ごとに分離して複数のブレーンに分けて取扱い、その属性ごとに適した画像暗号化方式を用いることが知られている。また、画像各部の属性に適した画像暗号化方式を切替えて用い、効率よくかつ十分に画像データを圧縮する技術が提案されている（例えば特許文献２参照）。
【特許文献１】特開２００４−２４８２６７号公報
【特許文献２】特開２００６−２５４０５４号公報
【発明の開示】
【発明が解決しようとする課題】
【０００４】
しかしながら、属性ごとに分離したデータを暗号化する際に、どのデータを暗号化の対象に選択するかが、最終的なデータ量に大きく関係する。データ量が多いものを暗号化すると処理に時間がかかるため、データの選択基準は重要であるが、上記いずれの技術においても暗号化対象データの選択基準については何ら提案されていない。
【０００５】
本発明はこのような状況に鑑みてなされたものであり、データ圧縮と暗号化を行うことを前提にし、暗号化対象データを選択することでデータ圧縮・暗号化処理をさらに効率化することを目的とする。
【課題を解決するための手段】
【０００６】
請求項１記載の発明は、画像データを属性ごとに分離する分離手段と、前記分離した分離データをそれぞれの属性に適した圧縮方法を用いて圧縮する圧縮手段と、前記圧縮されたそれぞれの圧縮データのデータ量を比較するデータ量比較手段と、最もデータ量の少ない圧縮データを暗号化する第１の暗号化手段と、を有することを特徴とする画像処理装置である。
【０００７】
請求項２記載の発明は、請求項１記載の装置において、前記圧縮データの暗号化を実行するか否か選択する暗号化選択手段と、暗号化する圧縮データの属性を任意に選択し、選択された属性のデータを暗号化する第２の暗号化手段と、を有し、前記暗号化選択手段は、暗号化の実行を選択した場合に、前記第１の暗号化手段若しくは前記第２の暗号化手段のうちいずれかを選択することを特徴とする。
【０００８】
請求項３記載の発明は、請求項１又は２記載の装置において、前記第１の若しくは第２の暗号化手段で暗号化されたデータと、他方の暗号化されなかった圧縮データとを、パッキングし、一つのデータとするデータパッキング手段を有することを特徴とする。
【０００９】
請求項４記載の発明は、画像データを属性ごとに分離する分離手段と、前記分離した分離データをそれぞれの属性に適した圧縮方法を用いて圧縮する圧縮手段と、前記圧縮されたデータのうち、ランダムな方法により暗号化処理を行う属性を選択する暗号化ランダム選択手段と、前記暗号化ランダム選択手段により選択された属性のデータを暗号化する第１の暗号化手段と、有することを特徴とする画像処理装置である。
【００１０】
請求項５記載の発明は、請求項４記載の装置において、前記圧縮データの暗号化を実行するか否か選択する暗号化選択手段と、暗号化する圧縮データの属性を任意に選択し、選択された属性のデータを暗号化する第２の暗号化手段と、を有し、前記暗号化選択手段は、暗号化の実行を選択した場合に、前記第１の暗号化手段若しくは前記第２の暗号化手段のうちいずれかを選択することを特徴とする。
【００１１】
請求項６記載の発明は、請求項４又は５記載の装置において、前記第１の若しくは第２の暗号化手段で暗号化されたデータと、他方の暗号化されなかった圧縮データとを、パッキングし、一つのデータとするデータパッキング手段を有することを特徴とする。
【００１２】
請求項７記載の発明は、請求項３又は請求項６記載のデータパッキング手段によりパッキングされたデータを分離するパッキングデータ分離手段と、暗号化されたデータを復号する復号手段と、圧縮されたデータを伸長する伸長手段と、を有することを特徴とする画像処理装置である。
【００１３】
請求項８記載の発明は、画像データを属性ごとに分離するステップと、前記分離した分離データをそれぞれの属性に適した圧縮方法を用いて圧縮するステップと、前記圧縮されたそれぞれの圧縮データのデータ量を比較するステップと、最もデータ量の少ない圧縮データを暗号化するステップと、を有することを特徴とする画像処理方法である。
【００１４】
請求項９記載の発明は、画像データを属性ごとに分離する処理と、前記分離した分離データをそれぞれの属性に適した圧縮方法を用いて圧縮する処理と、前記圧縮されたそれぞれの圧縮データのデータ量を比較する処理と、最もデータ量の少ない圧縮データを暗号化する処理と、をコンピュータに実行させることを特徴とする画像処理プログラムである。
【００１５】
請求項１０記載の発明は、請求項９記載のプログラムの処理を記録するコンピュータ読み取り可能な記録媒体である。
【発明の効果】
【００１６】
本発明によれば、暗号化対象データを選択することでデータ圧縮・暗号化処理をさらに効率化することが出来る。
【発明を実施するための最良の形態】
【００１７】
以下に、本発明の実施形態について、図面を用いて詳細に説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００１８】
本発明の実施形態に係る画像処理装置について図１及び図２を用いて説明する。図１は本実施形態に係る画像処理装置のブロック構成図である。図２は本実施形態に係る画像処理装置の画像データ圧縮・暗号化の動作処理を示すフローチャートである。
【００１９】
画像処理装置Ａは、画像分離部１、圧縮部２、圧縮部３、データ量比較部４、暗号化部５、データパッキング部６から構成されている。
【００２０】
まず画像分離部１は、画像データを属性ごとに分離する（ステップＳ１）。ここで言う属性というのは、例えば、文字データと写真データであるとする。
【００２１】
画像データを文字データと写真データに分離した後、文字データを圧縮装置２で、写真データを圧縮装置３にてそれぞれ圧縮する（ステップＳ２）。圧縮形式はそれぞれの属性に適した圧縮形式を用い、例えば、文字データの圧縮を行う圧縮装置１はＭＭＲ（modified MR）圧縮等、写真データの圧縮を行う圧縮装置２はＪＰＥＧ（Joint Photographic Experts Group）圧縮等が考えられる。
【００２２】
圧縮装置１により圧縮された文字データと、圧縮装置２により圧縮された写真データは、データ量比較部４に送られ、データ量の比較が行われる（ステップＳ３）。
【００２３】
比較した結果、データ量の少ないデータが暗号化部５に送られ暗号化された後（ステップＳ４）、データパッキング部６に送られる。データ量が多い方のデータは、直接データパッキング部６に送られる。
【００２４】
それぞれのデータがデータパッキング部６にてパッキングされて１つのデータとして出力される（ステップＳ５）。
【００２５】
上記実施形態により、画像を属性ごとに分離し、それぞれの属性に適した圧縮方法を用いて圧縮し１つの画像データとして扱うデータに対して、暗号化処理を行う際、圧縮されたデータのデータ量を比較して、最もデータ量の少ない属性のデータに対してのみに暗号化処理を行うため、暗号化処理を行うデータ量が少なくなり、処理時間を短く効率良く処理することができる。
【００２６】
本発明の他の実施形態に係る画像処理装置について図３及び図４を用いて説明する。図３は本実施形態に係る画像処理装置のブロック構成図である。図４は本実施形態に係る画像処理装置の画像データ圧縮・暗号化の動作処理を示すフローチャートである。
【００２７】
画像処理装置Ｂは、画像分離部１０、圧縮部１１、圧縮部１２、暗号化切替部１３、データ量比較部１５を備える暗号化データ選択部１４、暗号化部１６、データパッキング部１７から構成されている。
【００２８】
まず画像分離部１０により、画像データを属性ごとに分離する（ステップＳ１０）。ここで言う属性というのは、例えば、文字データと写真データであるとする。
【００２９】
画像データを文字データと写真データに分離した後、文字データを圧縮装置１１で、写真データを圧縮装置１２にてそれぞれ圧縮する（ステップＳ１１）。圧縮形式はそれぞれの属性に適した圧縮形式を用い、例えば、文字データの圧縮を行う圧縮装置１１はＭＭＲ圧縮等、写真データの圧縮を行う圧縮装置１２はＪＰＥＧ圧縮等が考えられる。
【００３０】
圧縮装置１１により圧縮された文字データと、圧縮装置１２により圧縮された写真データは、暗号化切替部１３に送られる（ステップＳ１２）。暗号化しない場合は（ステップＳ１３／Ｎｏ）そのままデータパッキング部１７に送られ、それぞれのデータがデータパッキング部１７にてパッキングされて１つのデータとして出力される（ステップＳ１４）。暗号化する場合はそれぞれのデータが暗号化データ選択部に送られる（ステップＳ１３／Ｙｅｓ、ステップＳ１５）。
【００３１】
ユーザが任意に暗号化するデータを選択した場合は（ステップＳ１６／Ｙｅｓ）、その属性の圧縮データを暗号化部１６に送り暗号化する（ステップＳ１７）。暗号化したデータをデータパッキング部１７に送る。もう一方のデータはそのままデータパッキング部１７に送られ、それぞれのデータがデータパッキング部１７にてパッキングされて１つのデータとして出力される（ステップＳ１４）。
【００３２】
ユーザが任意に暗号化するデータを選択しなかった場合は（ステップＳ１６／Ｎｏ）、暗号化データ選択部１４内のデータ量比較部１５にてデータ量の比較を行う（ステップＳ１８）。データ量の少ない方のデータを暗号化部１６に送り暗号化する（ステップＳ１９）。暗号化後、データパッキング部１７に送られる。データ量が多い方のデータは直接、データパッキング部１７に送られ、それぞれのデータがデータパッキング部１７にてパッキングされて１つのデータとして出力される（ステップＳ１４）。
【００３３】
上記実施形態により、暗号化を実行するかどうか、また暗号化を実行する場合には最もデータ量の少ない属性のデータに対して暗号化処理を実行するか、ユーザが任意に決める属性に対して暗号化処理を実行するか、ユーザが選択する手段を持つため、ユーザの希望通りに暗号化処理を行いたい属性に暗号化処理を行うことができ、効率化を図ることが出来る。
【００３４】
本発明の他の実施形態に係る画像処理装置について図５及び図６を用いて説明する。図５は本実施形態に係る画像処理装置のブロック構成図である。図６は本実施形態に係る画像処理装置のパッキングデータ復号・伸長の動作処理を示すフローチャートである。
【００３５】
画像処理装置Ｃは、データパッキング分離部２０、データ量比較部２６を備える復号切替部２１、暗号復号部２２、伸長部２３、伸長部２４、データ合成部２５から構成されている。
【００３６】
まずパッキングデータ分離部２０によりパッキングされたデータを分離する（ステップＳ２０）。分離されたデータは復号切替部２１に送られる（ステップＳ２１）。暗号化されていない場合は（ステップＳ２２／Ｎｏ）そのまま伸張部２３、伸張部２４にデータが送られ、伸張処理を行った後（ステップＳ２３）、データ合成部２５に送られる（ステップＳ２４）。
【００３７】
ユーザが任意に暗号化するデータの属性を決定した場合は（ステップＳ２５／Ｙｅｓ）、暗号化されている属性のデータを暗号復号部２２に送り、復号処理を行う（ステップＳ２６）。復号後、伸張部２３若しくは伸張部２４にデータが送られ伸張処理を行った後（ステップＳ２３）、データ合成部２５に送られる（ステップＳ２４）。暗号化されていない属性のデータはそのまま伸張部２３、若しくは伸張部２４にデータが送られ（ステップＳ２３）、伸張処理を行った後、データ合成装置に送られる（ステップＳ２４）。
【００３８】
ユーザによる任意の暗号選択ではなく（ステップＳ２５／Ｎｏ）、データ量の少ないデータを暗号化処理した場合は、復号切替部２１内のデータ量比較部２６によりデータ量を比較し（ステップＳ２７）、データ量が少ないデータを暗号復号部２２に送り、復号処理された後（ステップＳ２８）、伸張２３若しくは伸張部２４にデータが送られ伸張処理を行った後（ステップＳ２３）、データ合成部２５に送られる（ステップＳ２４）。またデータ量が多いデータはそのまま伸張部２３若しくは伸張部２４にデータが送られ、伸張処理を行った後（ステップＳ２３）、データ合成部２５に送られる（ステップＳ２４）。
【００３９】
伸張されたデータを受信したデータ合成部２５は、データの合成を行い、元画像データを出力する（ステップＳ２４）。
【００４０】
上記実施形態により、画像データを分離して圧縮・暗号化処理されたデータを、元データに戻す手段を持つことにより暗号化処理されたデータを元に戻すことができる。
【００４１】
本発明の他の実施形態に係る画像処理装置について図７及び図８を用いて説明する。図７は本実施形態に係る画像処理装置のブロック構成図である。図８は本実施形態に係る画像処理装置の画像データの圧縮・暗号化の動作処理を示すフローチャートである。
【００４２】
画像処理装置Ｄは、画像分離部３０、圧縮部３１、圧縮部３２、ランダム選択部３３、暗号化部３４、データパッキング部３５から構成されている。
【００４３】
まず画像分離部３０により、画像データを属性ごとに分離する（ステップＳ３０）。ここで言う属性というのは、例えば、文字データと写真データであるとする。画像データを文字データと写真データに分離した後、文字データを圧縮部３１、写真データを圧縮部３２にてそれぞれ圧縮する（ステップＳ３１）。圧縮形式はそれぞれの属性に適した圧縮形式を用い、例えば、文字データの圧縮を行う圧縮部３１はＭＭＲ圧縮等、写真データの圧縮を行う圧縮部３２はＪＰＥＧ圧縮等が考えられる。
【００４４】
圧縮部３１により圧縮された文字データと、圧縮部３２により圧縮された写真データはランダム選択部３３に送られる。ランダム選択部３３にてどの属性のデータに暗号化処理を行うかランダムに選択し（ステップＳ３２）、暗号化処理を行うと選択された属性のデータは（ステップＳ３３／Ｙｅｓ）暗号化部３４に送られ暗号化される（ステップＳ３４）。その後、データパッキング部３５に送られる（ステップＳ３５）。
【００４５】
暗号化処理を行わない属性のデータは直接、データパッキング部３５に送られ、それぞれのデータがデータパッキング部３５にてパッキングされて１つのデータとして出力される（ステップＳ３５）。
【００４６】
上記実施形態により、画像データを属性ごとに分離し、それぞれの属性に適した圧縮方法を用いて圧縮し１つの画像データとして扱うデータに対して、暗号化処理を行う際、ランダムな方法により暗号化処理を行う属性を選択して、その属性のみに暗号化処理を行うため全体に暗号化処理を行う場合と比べ処理時間が少なくなり、またユーザも解らない属性に暗号化処理を行うのでセキュリティ強度の向上となる。
【００４７】
本発明の他の実施形態に係る画像処理装置について図９及び図１０を用いて説明する。図９は本実施形態に係る画像処理装置のブロック構成図である。図１０は本実施形態に係る画像処理装置の画像データの圧縮・暗号化の動作処理を示すフローチャートである。
【００４８】
画像処理装置Ｅは、画像分離部４０、圧縮部４１、圧縮部４２、暗号化切替部４３、ランダム選択部４７を備えた暗号化データ選択部４４、暗号化部４５、データパッキング部４６から構成されている。
【００４９】
まず画像分離部４０により、画像データを属性ごとに分離する（ステップＳ４０）。ここで言う属性というのは、例えば、文字データと写真データであるとする。画像データを文字データと写真データに分離した後、文字データを圧縮部４１、写真データを圧縮部４２にてそれぞれ圧縮する（ステップＳ４１）。圧縮形式はそれぞれの属性に適した圧縮形式を用い、例えば、文字データの圧縮を行う圧縮部４１はＭＭＲ圧縮等、写真データの圧縮を行う圧縮部４２はＪＰＥＧ圧縮等が考えられる。
【００５０】
圧縮部４１により圧縮された文字データと圧縮部４２により圧縮された写真データは暗号化切替部４３に送られ、暗号化しない場合は（ステップＳ４２／Ｎｏ）そのままデータパッキング部４６に送られ、それぞれのデータがデータパッキング部４６にてパッキングされて１つのデータとして出力される（ステップＳ４３）。
【００５１】
暗号化する場合は（ステップＳ４２／Ｙｅｓ）それぞれのデータが暗号化データ選択部４４に送られる。ユーザが任意に暗号化するデータを選択した場合は（ステップＳ４４／Ｙｅｓ）、その属性の圧縮データを暗号化部４５に送られ暗号化される（ステップＳ４５）。暗号化後、データパッキング部４６に送られる（ステップＳ４３）。もう一方のデータはそのままデータパッキング部４６に送られ、それぞれのデータがデータパッキング部４６にてパッキングされて１つのデータとして出力される（ステップＳ４３）。
【００５２】
ユーザが任意に暗号化するデータを選択しなかった場合は（ステップＳ４４／Ｎｏ）、暗号化データ選択部４４内のランダム選択部４７にて暗号化する属性をランダムに決定し（ステップＳ４６）、選択された属性のデータが暗号化部４５に送られ暗号化された後（ステップＳ４７）、データパッキング部４６に送られる。選択されなかったデータは直接、データパッキング部４６に送られ、それぞれのデータがデータパッキング部にてパッキングされて１つのデータとして出力される（ステップＳ４３）。
【００５３】
上記実施形態により、暗号化を実行するか否か、また暗号化を実行する場合には、ランダムな方法により選択した属性に暗号化処理を実行するか、若しくはユーザが任意に決める属性に暗号化処理を実行するか、ユーザが選択する手段を持つため、ユーザの希望通りに暗号化処理を行うことができる。
【００５４】
尚、各図のフローチャートに示す処理を、ＣＰＵが実行するためのプログラムは本発明によるプログラムを構成する。このプログラムを記録する記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００５５】
以上、本発明を好適な実施の形態に基づき具体的に説明したが、本発明は上記のものに限定されるものではなく、その要旨を逸脱しない範囲で種々変更可能であることは言うまでもない。
【図面の簡単な説明】
【００５６】
【図１】本発明の実施形態に係る画像処理装置のブロック構成図である。
【図２】本発明の実施形態に係る画像処理装置の画像データ圧縮・暗号化の動作処理を示すフローチャートである。
【図３】本発明の実施形態に係る画像処理装置のブロック構成図である。
【図４】本発明の実施形態に係る画像処理装置の画像データ圧縮・暗号化の動作処理を示すフローチャートである。
【図５】本発明の実施形態に係る画像処理装置のブロック構成図である。
【図６】本発明の実施形態に係る画像処理装置のパッキングデータ復号・伸長の動作処理を示すフローチャートである。
【図７】本発明の実施形態に係る画像処理装置のブロック構成図である。
【図８】本発明の実施形態に係る画像処理装置の画像データの圧縮・暗号化の動作処理を示すフローチャートである。
【図９】本発明の実施形態に係る画像処理装置のブロック構成図である。
【図１０】本発明の実施形態に係る画像処理装置の画像データの圧縮・暗号化の動作処理を示すフローチャートである。
【符号の説明】
【００５７】
Ａ〜Ｄ    画像処理装置
１、１０、３０、４０    画像分離部
２、３、１１、１２、３１、３２、４１、４２    圧縮部
４    データ量比較部
５、３４、４５    暗号化部
６、１７、３５、４６    データパッキング部
１３、４３    暗号化切替部
１５    データ量比較部
１４、４４    暗号化データ選択部
１６    暗号化部
２０    データパッキング分離部
２６    データ量比較部２６
２１    復号切替部
２２    暗号復号部
２３、２４    伸長部
２５    データ合成部
３３、４７    ランダム選択部
【図１】
2008294827.tif 000003
【図２】
2008294827.tif 000004
【図３】
2008294827.tif 000005
【図４】
2008294827.tif 000006
【図５】
2008294827.tif 000007
【図６】
2008294827.tif 000008
【図７】
2008294827.tif 000009
【図８】
2008294827.tif 000010
【図９】
2008294827.tif 000011
【図１０】
2008294827.tif 000012